(57)【要約】【課題】本発明は、御装置と複数の照明装置との組合せを一括で成立させることができる照明制御システム及び照明制御方法を提供する。【解決手段】本発明の照明制御システム１は、固有の識別子がそれぞれ付与されている複数の制御装置２０ａ、２０ｂ、２０ｃ・・・と、制御装置２０ａにより制御される複数の照明装置１０ａ、１０ｂ、１０ｃと、複数の照明装置１０ａ、・・・１０ｚを一括して点灯または消灯する操作装置３０とを備える照明制御システム１であって、制御装置２０ａは、固有の識別子を複数の照明装置１０ａ、・・・１０ｚへ送信する送信部２０３を有し、複数の照明装置１０ａ、・・・１０ｚは、制御指示に含まれる識別子と記憶部１０４が記憶した固有の識別子とが同じ識別子である場合、制御指示に従って動作制御を行う制御部と、を有する。【選択図】図２
2018092706.tif 000002
【特許請求の範囲】
【請求項１】
固有の識別子がそれぞれ付与されている複数の制御装置と、前記制御装置により制御される複数の照明装置と、前記複数の照明装置を一括して点灯または消灯する操作装置とを備える照明制御システムであって、
前記制御装置は、
前記固有の識別子を前記複数の照明装置へ送信する送信部
を有し、
前記複数の照明装置はそれぞれ
前記制御装置から前記固有の識別子を含む制御指示を受信する受信部と、
前記受信部が受信した前記固有の識別子を記憶する記憶部と、
前記制御指示に含まれる識別子と前記記憶部が記憶した前記固有の識別子とが同じ識別子である場合、前記制御指示に従って動作制御を行う制御部と、
を有し、
前記操作装置の所定の操作の操作により、前記照明装置の前記記憶部は、前記固有の識別子を記憶する
照明制御システム。
【請求項２】
前記操作装置の所定の操作は、点灯または消灯の指示を所定時間内に繰り返す操作である
請求項１に記載の照明制御システム。
【請求項３】
前記照明装置は、前記操作装置が所定時間内に繰り返す点灯または消灯の指示の回数に応じて、前記識別子を受信する状態となる
請求項２に記載の照明制御システム。
【請求項４】
前記制御装置と前記複数の照明装置とは、無線を介して通信が行われる
請求項１ないし３のいずれか１項に記載の照明制御システム。
【請求項５】
前記制御装置は、照度センサまたは人感センサを有し、前記照度センサまたは人感センサの検知結果に基づいて前記照明装置の動作制御が行われる
請求項１ないし４のいずれか１項に記載の照明制御システム。
【請求項６】
固有の識別子がそれぞれ付与されている複数の制御装置と、前記制御装置により制御される複数の照明装置と、前記複数の照明装置を一括して点灯または消灯する操作装置とを備える照明制御システムにおける照明制御方法であって、
前記操作装置の所定の操作により、前記照明装置が前記制御装置から前記固有の識別子を含む制御指示を受信する状態となる操作ステップと、
前記操作ステップの後に、前記照明装置が前記制御装置から前記固有の識別子を受信する受信ステップと、
前記受信ステップの後に、前記照明装置は、前記固有の識別子を記憶する記憶ステップと、を有する
照明制御方法。
【請求項７】
前記照明装置は、前記制御装置から受信した前記制御指示に含まれる前記識別子が、前記記憶ステップで記憶した前記固有の識別子と同じである場合、前記制御指示を実行する実行ステップと、
をさらに有する請求項６に記載の照明制御方法。
【発明の詳細な説明】
【技術分野】
【０００１】
本発明は、照明制御システム及び照明制御方法に関する。
【背景技術】
【０００２】
一般に、照明器具やその制御機器とリモコンとの関連付けを簡単に行うことができる照明制御装置が求められている（例えば、特許文献１）。
【０００３】
特許文献１には、リモコンから送信された遠隔制御信号を受信し、照明器具に制御信号を送信して制御させる制御手段を有する照明コントローラを用いて、操作部、遠隔操作部及び照明器具を関連付ける照明制御装置が開示されている。
【先行技術文献】
【特許文献】
【０００４】
【特許文献１】特開２０１１−７０８８０号公報
【発明の概要】
【発明が解決しようとする課題】
【０００５】
特許文献１に記載の照明制御装置では、壁スイッチとリモコンとのボタンの関連付けを特定の操作により行う。しかしながら、この照明制御装置では、複数の制御装置と、複数の照明器具との関連付けは予め行っておかなければならない。制御装置と複数の照明器具とを組み合わせるには、それぞれの照明器具にリモコンを用いて、個々に対応させる制御装置の識別子の情報を送信する必要があるため、制御装置及び照明装置の組合せが数多く存在する際、手間がかかる。
【０００６】
そこで、本発明は、上記課題を鑑みてなされたものであって、制御装置及び照明装置の組み合わせが複数存在する場合であっても、操作装置を用いて制御装置と複数の照明装置とを一括で組合わせることができる照明制御システム及び照明制御方法を提供することを目的とする。
【課題を解決するための手段】
【０００７】
本発明に係る照明制御システムは、固有の識別子がそれぞれ付与されている複数の制御装置と、前記制御装置により制御される複数の照明装置と、前記複数の照明装置を一括して点灯または消灯する操作装置とを備える照明制御システムであって、前記制御装置は、前記固有の識別子を前記複数の照明装置へ送信する送信部を有し、前記複数の照明装置はそれぞれ前記制御装置から前記固有の識別子を含む制御指示を受信する受信部と、前記受信部が受信した前記固有の識別子を記憶する記憶部と、前記制御指示に含まれる識別子と前記記憶部が記憶した前記固有の識別子とが同じ識別子である場合、前記制御指示に従って動作制御を行う制御部と、を有し、前記操作装置の所定の操作の操作により、前記照明装置の前記記憶部は、前記固有の識別子を記憶する。
【０００８】
本発明に係る照明制御方法は、固有の識別子がそれぞれ付与されている複数の制御装置と、前記制御装置により制御される複数の照明装置と、前記複数の照明装置を一括して点灯または消灯する操作装置とを備える照明制御システムにおける照明制御方法であって、前記操作装置の所定の操作により、前記照明装置が前記制御装置から前記固有の識別子を含む制御指示を受信する状態となる操作ステップと、前記操作ステップの後に、前記照明装置が前記制御装置から前記固有の識別子を受信する受信ステップと、前記受信ステップの後に、前記照明装置は、前記固有の識別子を記憶する記憶ステップと、を有する。
【発明の効果】
【０００９】
本発明によれば、制御装置及び複数の照明装置の組み合わせが複数存在する場合であっても、制御装置と複数の照明装置との組合せを一括で成立させることができる。
【図面の簡単な説明】
【００１０】
【図１】図１は、実施の形態に係る照明制御システム１の一例を示す構図である。
【図２】図２は、実施の形態に係る照明制御システム１の要部ブロック図である。
【図３】図３は、実施の形態に係る照明制御システムにおけるシーケンス図である。
【発明を実施するための形態】
【００１１】
以下では、本発明の実施の形態に係る照明制御システムについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
（実施の形態）
本実施の形態において、制御装置２０ａと複数の照明装置１０ａ、・・・１０ｚとの無線通信接続の確立を行う照明制御システム１について説明する。
【００１４】
［１．概観］
図１に示されるように、本実施の形態に係る照明制御システム１は、複数の照明装置１０ａ、・・・１０ｚと、複数の制御装置２０ａ、２０ｂ、２０ｃ・・・と、操作装置３０とを備える。
【００１５】
照明装置１０ａ、・・・１０ｚは、電力を供給され、供給された電力により点灯することで照明装置１０ａ、・・・１０ｚが設置された空間を照明する。照明装置１０ａ、・・・１０ｚは、いくつか（例えば、本実施の形態では３つ）に分けられ、照明グループ１１１、１１２、１１３として構成される。照明装置１０ａ、・・・１０ｚの点灯又は消灯は照明グループ１１１、１１２、１１３ごとに行われ、操作装置３０のオンオフの動作によって切り替えられる。照明グループ１１１とは、同一の制御装置によって制御される照明装置のグループである。照明装置１０ａ、・・・１０ｚの点灯又は消灯などのことを、「照明装置１０ａの動作」とも表現する。上記の「動作」については、後で詳しく説明する。
【００１６】
また、照明装置１０ａ、・・・１０ｚは、無線通信により制御装置２０ａ、２０ｂ、２０ｃと通信する。照明装置１０ａ、・・・１０ｚは、所属する照明グループ１１１、１１２、１１３に対応付けられた制御装置２０ａ、２０ｂ、２０ｃと無線通信を行うことで、制御装置２０ａ、２０ｂ、２０ｃから動作に対する指示を受け付け、受け付けた指示に従って動作する。照明装置１０ａ、・・・１０ｚは、操作装置３０のオンオフ動作により、照明装置１０ａ、・・・１０ｚを一括で点灯または消灯することもできる。
【００１７】
制御装置２０ａ、２０ｂ、２０ｃは、照明装置１０ａ、・・・１０ｚを制御する。制御装置２０ａ、２０ｂ、２０ｃは、無線通信により照明装置１０ａ、・・・１０ｚと通信する。制御装置２０ａ、２０ｂ、２０ｃは、例えば、タブレット端末、専用に開発されたコ
ントローラ端末等により実現される。
照明装置１０ａ、・・・１０ｚは、操作装置３０の所定の操作により、制御装置２０ａ、２０ｂ、２０ｃのうちいずれが親機となるかを認識させる動作を行う。このとき、照明装置１０ａ、・・・１０ｚにいずれの制御装置が親機であるかを認識させる動作のことを「照明装置１０ａのペアリング」とも表現する。上記の「ペアリング」については、後で詳しく説明する。
【００１８】
操作装置３０は、照明装置１０ａ、・・・１０ｚに電力を供給する電源のオンオフを行う。操作装置３０は、例えば、壁スイッチなどである。
【００１９】
また、操作装置３０の所定の操作により、照明装置１０ａは、ペアリングを行う状態に切り替わる。この照明装置１０ａの切り替える所定の操作のことを、「操作装置３０のワンツースイッチ操作」と表現する。上記の「ワンツースイッチ操作」については、後で詳しく説明する。
【００２０】
［２．機能構成］
本実施の形態に係る照明制御システム１の各構成の機能について、図２を用いて説明する。
【００２１】
照明装置１０ａは、図２に示されるように、電源部１０１と、受信部１０２と、制御部１０３と、記憶部１０４と、設定部１０５と、光源部１０６とを備える。照明装置１０ａは、制御装置２０ａとペアリングされている。
【００２２】
電源部１０１は、外部電源４０から供給される電力を操作装置３０を介して受け取り、照明装置１０ａの各部へ動作電力として供給する。操作装置３０の操作によって電源部１０１への電力供給が遮断されている場合、照明装置１０ａは消灯している。操作装置３０を操作し、照明装置１０ａへの電力供給を開始すると照明装置１０ａは点灯し、制御装置２０ａによって動作が制御される。
【００２３】
なお、電源部１０１は、外部電源４０からの電力供給がない場合でも、受信部１０２、制御部１０３及び記憶部１０４が一定の期間で電力供給できるように蓄電されていることが好ましい。
【００２４】
受信部１０２は、親機となる制御装置２０ａとの間で無線通信接続を確立したうえで、対象となる制御装置２０ａから、制御情報と識別子とが含まれた制御コマンドまたは、ペアリング情報と識別子とが含まれたペアリングコマンドを受信する。制御コマンド及びペアリングコマンドは、制御装置からの制御指示を意味する。受信部１０２は、具体的には、無線通信を行う無線通信インタフェースである。ここで、制御情報とは、照明装置１０ａの動作を指示するための情報である。識別子とは、各制御装置に固有のものであって、制御情報を送信する制御装置２０ａを識別する、例えば送り元である制御装置２０ａのシリアル番号やＭａｃアドレスなどの識別情報である。ペアリング情報とは、照明装置１０ａに識別子を記憶する動作を指示するための情報である。
【００２５】
無線通信には、特定小電力通信が用いられる。また、例えばＩＥＥＥ８０２．１１ａ、ｂ、ｇ規格の無線ＬＡＮ（Ｌｏｃａｌ  Ａｒｅａ  Ｎｅｔｗｏｒｋ）、ＺｉｇＢｅｅ、Ｚ−Ｗａｖｅ、又は、ＫＮＸであってもよい。無線通信を行う装置同士はペアリングにより、無線通信接続の確立を行うとして説明する。
【００２６】
なお、無線通信は、照明装置１０ａと制御装置２０ａの直接の無線通信だけでなく、他の装置による中継を介した間接通信（マルチホップ通信ともいう）も含む。マルチホップ
通信を行う中継装置は、無線通信相手から受信した通信パケットを別の無線通信相手へ転送し、また、転送するための情報である経路情報を保持する。マルチホップ通信の通信経路は、スター型、ツリー型、又は、メッシュ型などがあり得る。
【００２７】
制御部１０３は、受信部１０２を通じて照明装置１０ａの動作に対する制御コマンドを受信し、受信した制御情報に従って照明装置１０ａの動作を制御する。ここで、「照明装置１０ａの動作」とは、照明装置１０ａが照明光を発することである点灯、照明光を発しないことである消灯、点灯と消灯とを繰り返す点滅、照明光の強度を変更又は調整することである調光、及び、照明光の色合いを変更又は調整することである調色などを含む。このとき、照明装置１０ａが動作している状態を「通常モード」とする。
【００２８】
また、制御部１０３は、受信部１０２を通じてペアリングコマンドを受信し、受信したペアリングコマンドに含まれる識別子を記憶部１０４に記憶させるペアリングの動作を行う。ここで、「ペアリング」とは、照明装置が制御装置固有の識別子を記憶し、照明装置と特定の制御装置とを関連付けることである。このとき、照明装置１０ａがペアリングを行う状態を「ペアリングモード」とする。
【００２９】
通常モードとペアリングモードとの切替えは、操作装置３０の所定の操作によって行われる。モードを切り替える操作装置３０の具体的な操作については、後で詳しく説明する。
【００３０】
記憶部１０４は、ペアリングモードであるとき、制御部１０３が受信したペアリングコマンドに含まれる識別子を記憶する。記憶部１０４は、具体的には、メモリなどである。照明装置１０ａは、通常モードである場合は、受信部１０２が制御コマンドを受信し、受信した制御コマンドに含まれる識別子と記憶部１０４に記憶されている識別子とが一致したとき、受信した制御コマンドに含まれる制御情報に従って照明装置１０ａの動作を行う。
【００３１】
設定部１０５は、記憶部１０４が記憶した識別子により示される照明グループ１１１をグループ情報として設定する。
【００３２】
グループ情報とは、照明装置１０ａが所属するグループを示す情報である。
【００３３】
設定部１０５は、例えばＤＩＰスイッチであり、ユーザが手動でスイッチを操作することでグループ情報が変更され、照明グループ１１１が設定される。なお、設定部１０５には、例えば赤外線通信が用いられ、無線通信によってグループ情報を設定してもよい。
【００３４】
光源部１０６は、制御部１０３による制御に基づいて、点灯又は消灯などの動作を行う光源である。光源部１０６は、ＬＥＤ（Ｌｉｇｈｔ  Ｅｍｉｔｔｉｎｇ  Ｄｉｏｄｅ）や有機ＥＬ（Ｅｌｅｃｔｒｏ−Ｌｕｍｉｎｅｓｃｅｎｃｅ）などにより実現される。
【００３５】
制御装置２０ａは、図２に示されるように、入力部２０１と、制御部２０２と、送信部２０３と、記憶部２０４とを備える。
【００３６】
入力部２０１は、照明装置１０ａに対する動作が表示された操作スイッチである。入力部２０１にて入力された照明装置１０ａの動作の指示は、制御部２０２へ送信される。入力部２０１は、調光入力部２０１ａと、ペアリング入力部２０１ｂとを有する。
【００３７】
調光入力部２０１ａは、照明装置１０ａの調光を制御するためのスイッチである。調光入力部２０１ａは、図１に示されるように、例えば、上向き矢印が描かれたスイッチ２１
と下向き矢印が描かれたスイッチ２２とを備える。ユーザがどちらかのスイッチを押下すると、照明装置１０ａの調光に関する信号が制御部２０２へ送信される。ここで、スイッチ２１を押下すると、照明装置１０ａの照明光は明るくなり、スイッチ２２を押下すると、照明装置１０ａの照明光は暗くなるものとする。その結果、入力された信号に応じて照明装置１０ａの照明光の明るさが変更される。
【００３８】
なお、調光入力部２０１ａは照明装置１０ａの調光だけでなく、調色を行えるものであってもよい。また、調光入力部２０１ａは、本実施の形態ではスイッチ２１、２２としたが、スライドバーやハンドルプレートであってもよく、照明装置１０ａの調光又は調色が行える構成であれば、実施の構成は限定されるものではない。
【００３９】
ペアリング入力部２０１ｂは、制御装置２０ａと照明装置１０ａとのペアリングを行うためのスイッチである。ユーザがスイッチ２３（図１）を押下すると、ペアリングを行う信号が制御部２０２へ送信される。
【００４０】
制御部２０２は、送信部２０３による無線通信を通じて照明装置１０ａの動作に対する指示を送信し、照明装置１０ａの動作を制御する。具体的には、制御部２０２は、調光入力部２０１ａから動作の信号を受信し、受信した動作の信号に基づいて照明装置１０ａの動作を制御する制御コマンドを送信する。また、制御部２０２は、ペアリング入力部２０１ｂからペアリングを行う信号を受信し、受信した信号に基づいて照明装置１０ａのペアリングを行うペアリングコマンドを送信する。
【００４１】
送信部２０３は、制御コマンドまたはペアリングコマンドを、照明装置１０ａへ送信する。ここで、送信部２０３は、その制御装置が制御する照明グループに含まれる全ての照明装置に一括で制御コマンドまたはペアリングコマンドを送信する。
【００４２】
記憶部２０４は、制御装置２０ａ自身の識別子を記憶している。ペアリングを行う場合、記憶部２０４に記憶されている識別子を照明装置１０ａへ送信する。
【００４３】
また、記憶部２０４は、照明装置１０ａの動作を制御する制御情報を記憶していてもよい。これにより、センサ５０などから信号を受信した場合、所定の制御が行える構成となっている。
【００４４】
また、照明装置１０ａが設置された空間にセンサ５０が設けられ、制御装置２０ａは、センサ５０からの信号を制御部２０２が受信し、照明装置１０ａの動作を制御する構成であってもよい。具体的には、センサ５０は照度センサや人感センサである。照度センサは、照明装置１０ａ周辺の照度を検知する。照度センサは、例えば、フォトダイオードを用いた汎用のセンサモジュールである。人感センサは、検知範囲における人の存在を検知する。人感センサは、例えば、パッシブ型のセンサであって、検知範囲における、人体から放出される赤外線（温度変化）を検知する。センサ５０は、検知範囲において検知対象を検知した場合、検知信号を制御部２０２に送信し、検知信号に基づいて照明装置１０ａの動作が制御される。このように、センサ５０の検知信号に応じて、制御装置２０ａは、制御の対象となる照明グループ１１１に所属する複数の照明装置１０ａ、・・・１０ｚの制御を行う。
【００４５】
センサを利用した具体的な照明の動作としては、検知対象を検知しない期間においては消灯し、検知すると点灯することなどが挙げられる。なお、センサを利用した動作については、特に限られるものではなく、設計事項とする。
【００４６】
操作装置３０は、図２に示されるように、操作部３０１を有する。
【００４７】
操作部３０１は、照明グループ１１１、１１２、１１３に所属する複数の照明装置１０ａ、・・・１０ｚを一括して点灯または消灯する。具体的には、操作部３０１は、外部電源４０に接続され、操作部３０１にてオンオフ状態を切り替えることで、照明装置１０ａへ電力の供給を行い、照明装置１０ａの点灯または消灯が行われる。
【００４８】
操作装置３０は、図１に示されるように、例えばスイッチ３１（操作部３０１）とスイッチを保持する本体部３２とで構成され、壁に取り付けられる。ユーザがスイッチ３１を押下し、オンにすると、操作装置３０に有線接続された照明装置１０ａ、・・・１０ｚ全てに電力が供給され、照明装置１０ａ、・・・１０ｚが点灯する。続いて、ユーザがスイッチ３１を押下し、オフにすると、操作装置３０に有線接続された複数の照明装置１０ａ、・・・１０ｚ全てへの電力供給が遮断され、複数の照明装置１０ａ、・・・１０ｚ全てが消灯する。このように、スイッチ３１（操作部３０１）のオンオフ操作を行うことにより、照明装置１０ａの点灯または消灯の操作を行うことができ、照明装置１０ａが点灯状態であるとき、照明装置１０ａは通常モードとなり、制御装置２０ａによって制御される。
【００４９】
また、操作装置３０は、「ワンツースイッチ操作」を行うことで、照明装置１０ａを通常モードからペアリングモードへ切り替える。ここでワンツースイッチ操作とは、所定時間内に照明装置１０ａの点灯／消灯を２回遷移させる操作部３０１の操作することである。具体的には、操作装置３０を所定時間内にスイッチ３１が２回、押下げ操作することで、照明装置１０ａの点灯／消灯操作の状態が２回遷移される、例えば点灯→消灯→点灯と遷移されるように操作する。このように、押下げ操作を繰り返すことにより、照明装置１０ａはペアリングモードに切り替わり、制御装置２０ａとペアリングを行うことができるようになる。
【００５０】
また、ワンツースイッチ操作の回数に応じて、制御装置２０ａからペアリングコマンドを受信する状態と判断する照明グループが異なるように構成してもよい。
【００５１】
例えば、ワンツースイッチ操作が２回行われた場合は、照明グループ１１１に所属する照明装置が制御装置からペアリングコマンドを受信する状態と判断し、３回行われた場合は、照明グループ１１２に所属する照明装置が制御装置からペアリングコマンドを受信する状態と判断し、４回行われた場合は、照明グループ１１３に所属する照明装置が制御装置からペアリングコマンドを受信する状態と判断し、・・・となるように構成される。
【００５２】
なお、ワンツースイッチ操作の回数と照明グループとの組み合わせは適宜変更することができるものである。
【００５３】
［３．処理］
図３のシーケンス図を用いて、照明制御システム１の処理を説明する。
【００５４】
本実施の形態に係る照明制御システム１は、制御装置２０ａと照明グループ１１１に所属する複数の照明装置１０ａ、とを無線通信を用いて、一括で組み合わせてグループ化の設定を行う。
【００５５】
まず、操作装置３０を操作し、オン状態にすることで、照明装置１０ａへ電力が供給され、通常モードとして照明装置１０ａの動作が行われる。
【００５６】
照明装置１０ａは、制御装置２０ａから制御コマンドを受信する。
【００５７】
受信した制御コマンドに含まれる識別子が、記憶部１０４において記憶している識別子と同一である場合、制御コマンドの制御情報に応じて照明装置１０ａの制御が行われる。
【００５８】
このとき、受信した制御コマンドに含まれる識別子が記憶部１０４において記憶している識別子と異なる場合、照明装置１０ａの制御は行われない。
【００５９】
つづいて、操作装置３０は、ワンツースイッチ操作を行う。これにより、ペアリングを行う一連の処理が開始される。
【００６０】
Ｓ１０１において、ワンツースイッチ操作が２回行われると、照明グループ１１１に所属する複数の照明装置１０ａ、１０ｂ、１０ｃがペアリングモードに移行する。
【００６１】
Ｓ２０１において、照明装置１０ａは、制御装置２０ａから新たにペアリングコマンドを受信する状態となる（操作ステップ）。具体的には、記憶部１０４は記憶している識別子を初期化または上書きできる状態ととなり、制御装置２０ａから識別子を受信するために待機する。
【００６２】
Ｓ３０１において、制御装置２０ａは、照明グループ１１１とペアリング行うことを示す操作をユーザから受け付ける。具体的には、ペアリング入力部２０１ｂとなるスイッチ３１をユーザが手動で操作し、ペアリング入力部２０１ｂからペアリングを行う信号を制御部２０２が受信することで、制御装置２０ａによるペアリングの一連の処理が開始される。
【００６３】
Ｓ３０２において、送信部２０３は、制御部２０２が受信したペアリングを行う信号に基づいて、ペアリングコマンドを照明装置１０ａの受信部１０２へ送信する。複数の照明装置１０ａ、１０ｂ、１０ｃへペアリングコマンドを一括で送信することで、複数の照明装置１０ａ、１０ｂ、１０ｃとのペアリングの処理が行われる。
【００６４】
Ｓ２０２において、照明装置１０ａは、受信部１０２が制御装置２０ａからのペアリングコマンドを受信することにより、ペアリングの一連の処理を行う（受信ステップ）。受信したペアリングコマンドは、制御部１０３へ送信される。
【００６５】
Ｓ２０３において、制御部１０３は、受信したペアリングコマンドに含まれる制御装置２０ａ固有の識別子を記憶部１０４に記憶させることで、制御装置２０ａと照明装置１０ａとの無線通信の確立、つまり、ペアリングを行う（記憶ステップ）。
【００６６】
Ｓ２０４において、制御部１０３は、記憶部１０４にてペアリングが行われたと判断した場合、一連の処理を終了する。具体的には、所定時間経過した後に終了と判断しても、ペアリングコマンドを１つ受信した場合に終了と判断してもよく、実施の形態は問わない。
【００６７】
以上でペアリングの一連の処理を終える。一連の処理が終了したら、照明装置１０ａとその照明装置１０ａが所属するグループとが対応付けてグループ化がなされ、また、制御装置２０ａと照明装置１０ａとのペアリング化がなされた状態となっている。この状態において、制御装置２０ａは、対応付けられた照明グループ１１１に所属する照明装置１０ａに対して動作の制御を行うことができる。
【００６８】
その後、Ｓ２０５において、照明装置１０ａは、制御装置２０ａの調光入力部２０１ａに入力される動作の信号に基づいて、設定された照明グループごとに照明装置１０ａの光源部１０６における動作が制御される。このとき、照明装置１０ａは、受信された制御コ
マンドに含まれる識別子と、記憶部１０４に記憶された識別子とを比較し、同じであった場合には、制御情報に基づいて制御が行われる（実行ステップ）。
【００６９】
［４．まとめ］
以上のように、本実施の形態に係る照明制御システム１は、固有の識別子がそれぞれ付与されている複数の制御装置２０ａ、２０ｂ、２０ｃと、制御装置２０ａにより制御される複数の照明装置１０ａ、・・・１０ｚと、複数の照明装置１０ａ、・・・１０ｚを一括して点灯または消灯する操作装置３０とを備える照明制御システム１であって、制御装置２０ａは、固有の識別子を複数の照明装置１０ａ、・・・１０ｚへ送信する送信部２０３を有し、複数の照明装置１０ａはそれぞれ、制御装置２０ａから固有の識別子を含む制御指示を受信する受信部１０２と、受信部１０２が受信した固有の識別子を記憶する記憶部１０４と、制御指示に含まれる識別子と記憶部１０４が記憶した固有の識別子とが同じ識別子である場合、制御指示に従って動作制御を行う制御部１０３と、を有し、操作装置３０の所定の操作により、照明装置１０ａの記憶部１０４は、固有の識別子を記憶する。
【００７０】
これにより、制御装置２０ａと複数の照明装置１０ａ、１０ｂ、１０ｃの組み合わせが複数存在する場合であっても、制御装置２０ａと複数の照明装置１０ａ、１０ｂ、１０ｃとの組合せを一括で成立させることができる。
【００７１】
また、操作装置３０の所定の操作は、点灯または消灯の指示を所定時間内に繰り返す操作である。
【００７２】
また、照明装置１０ａは、操作装置３０が所定時間内に繰り返す点灯または消灯の指示の回数に応じて、識別子を受信する状態となる。
【００７３】
これにより、照明装置１０ａの制御において、別途遠隔制御装置（例えば、リモコン等）を用いずに通常モードとペアリングモードとの切替えを行うことができるので、照明装置１０ａに遠隔制御操作に対応する送信部２０３を新たに設ける必要がない。そのため、照明装置１０ａを簡素化、小型化することができる。
【００７４】
また、制御装置２０ａと複数の照明装置１０ａ、・・・１０ｚとは、無線を介して行われる。
【００７５】
これにより、同一の操作装置３０に有線接続された複数の照明装置１０ａ、・・・１０ｚに、制御装置２０ａによる制御に必要な識別情報付与を行う作業を容易化することができる。そのため、新たに照明装置１０ａを取り付ける場合も、配線工事を行う必要がなく、取り付けを行うことができる。
【００７６】
また、制御装置２０ａは、照度センサ５０または人感センサ５０を有し、照度センサまたは人感センサの検知結果に基づいて照明装置１０ａ、１０ｂ、１０ｃの動作制御が行われる。
【００７７】
これにより、操作装置３０の他に、センサ５０で検知した情報に応じて照明の調光や調色を制御することができる。
【００７８】
また、本実施の形態に係る照明制御方法は、固有の識別子がそれぞれ付与されている複数の制御装置２０ａ、２０ｂ、２０ｃ・・・と、制御装置２０ａにより制御される複数の照明装置１０ａ、・・・１０ｚと、複数の照明装置１０ａ、・・・１０ｚを一括して点灯または消灯する操作装置３０とを備える照明制御システム１における照明制御方法であって、操作装置３０の所定の操作により、照明装置１０ａが制御装置２０ａから固有の識別
子を受信する状態となる操作ステップと、操作ステップの後に、照明装置１０ａが制御装置２０ａから固有の識別子を受信する受信ステップと、受信ステップの後に、照明装置１０ａは、固有の識別子を記憶する記憶ステップと、を有する。
【００７９】
これにより、制御装置２０ａと複数の照明装置１０ａ、１０ｂ、１０ｃの組み合わせが複数存在する場合であっても、制御装置２０ａと複数の照明装置１０ａ、１０ｂ、１０ｃとの組合せを一括で成立させることができる。
【００８０】
照明装置１０ａは、制御装置２０ａから受信した制御指示に含まれる識別子が、記憶ステップで記憶した固有の識別子と同じである場合、制御指示を実行する実行ステップと、をさらに有する。
【００８１】
これにより、複数の照明装置１０ａ、１０ｂ、１０ｃは、制御装置２０ａにより点灯または消灯の制御を一括で行うことができる。
【００８２】
（その他）
以上、本発明に係る照明制御システム１について、上記実施の形態に基づいて説明したが、本発明は、上記の実施の形態に限定されるものではない。
【００８３】
例えば、上記の実施の形態に係る照明制御システム１では、制御装置２０ａと照明装置１０ａとの間の通信は、無線通信によるとしたが、この無線通信は、電波による無線通信であってもよいし、可視光、赤外線又は紫外線などによる無線通信であってもよい。
【００８４】
なお、センサ５０を用いた照明装置１０ａの動作については、調光または調色を制御できる構成であれば、動作方法は本実施の形態に限るものではない。
【００８５】
なお、上記実施の形態に係る包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム又は記録媒体の任意の組み合わせで実現されてもよい。
【００８６】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８７】
１  照明制御システム
１０ａ、１０ｂ、１０ｃ  照明装置
２０ａ、２０ｂ、２０ｃ  制御装置
３０  操作装置
１０２  受信部
１０３  制御部
１０４  記憶部
２０３  送信部
【図１】
2018092706.tif 000003
【図２】
2018092706.tif 000004
【図３】
2018092706.tif 000005